(57)【要約】【課題】遊技場の柱に対し、その周面全体を電気的装飾で覆うことができれば、遊技場全体の雰囲気を盛り上げるのに有効であるという課題があった。【解決手段】四角い柱１の角に取り付けるコーナーフレーム２０を作成した。コーナーフレーム２０は、内フレーム２３および外フレーム２４の組み合わせにより構成されている。内フレーム２３を柱１の角に取り付けた後、内フレーム２３に対して外フレーム２４を取り付ける。内フレーム２３と外フレーム２４が組み合わされると、導光板１０を挟持することができる。導光板１０は、その端面から、コーナーフレーム２０内に内蔵されたＬＥＤ２２により光の照射を受ける。【効果】簡易にかつ効率良く電飾を施すことのできるコーナーフレームおよびそれを用いた柱用電飾構造を提供できる。【選択図】図４
2009000232.tif 000002
【特許請求の範囲】
【請求項１】
内フレームおよび外フレームの組合わせによって構成される柱飾り用コーナーフレームであって、
前記内フレームには、
９０°の角度差で設けられ、柱の角に当接される第１当接面および第２当接面を形成する当接面部材と、
柱面に平行に配置する導光板の一端辺の内方を挟持するための内側挟持片と、
前記第１当接面および第２当接面の交差線から両当接面の対向方向と逆方向であって、両当接面に対して対称な方向に突出し、その先端に突出方向に対して直交方向に広がる受け面を有するスペーサ部材と、
が備えられ、
前記外フレームには、
前記スペーサ部材の受け面に外嵌され、前記内フレームと所定の空間を開けて内フレームを外側から覆う外面部材と、
前記内側挟持片と協働して導光板の一端辺の外方を挟持するための外側挟持片と、
が備えられ、
前記内フレームおよび外フレームで形成される前記所定の空間内には、前記内側挟持片および外側挟持片によって挟持される導光板の端面に光を照射するための複数個のＬＥＤが実装された電気回路基板を保持するための保持部が設けられていることを特徴とする、柱飾り用コーナーフレーム。
【請求項２】
前記保持部は、前記内フレームに設けられた内ガイドレールと、
前記外フレームに設けられた外ガイドレールとの対をなすガイドレールを含むことを特徴とする、請求項１記載の柱飾り用コーナーフレーム。
【請求項３】
請求項１または２記載のコーナーフレームが、装飾すべき四角柱の４つの角に取り付けられ、
四角柱の４表面は、各表面に平行に配置された導光板で覆われており、
各導光板の両端辺は前記コーナーフレームの内側挟持片および外側挟持片によって挟持されており、
前記電気回路基板に通電がされることによって、各導光板がＬＥＤの光により照明されることを特徴とする、柱用電飾構造。
【発明の詳細な説明】
【技術分野】
【０００１】
この発明は、遊技場内に存在する四角い柱を装飾するための柱飾り用コーナーフレームおよびそのフレームを用いた柱用電飾構造に関する。
【背景技術】
【０００２】
通常、遊技場内には、複数台の遊技機（パチンコ機やパチスロ機等）が配列された遊技機設置島が複数配置され、各遊技機設置島の端部には島飾りと呼ばれる装飾装置や、妻板と呼ばれる装飾板が備えられている。また、遊技機設置島に配列された複数台の遊技機の上部には、上部領域を装飾するための幕板が配置されている。
昨今は、島飾り、妻板および幕板に、電球やＬＥＤが組み込まれて、遊技場内を光によって華やかに演出するいわゆる電飾が施されることが多くなっている。たとえば、特許文献１には、幕板にＬＥＤを配置した構成が提案されている。特許文献２には、妻板のコーナー部にプリズム式の発光部を設けるという提案がされている。特許文献３には、遊技媒体収容箱のための電飾装置が提案されている。
【特許文献１】特開２００７−０６１５６７号公報
【特許文献２】特開２００６−２１７９８７号公報
【特許文献３】特開２００６−１８１２３４号公報
【発明の開示】
【発明が解決しようとする課題】
【０００３】
従来は、主として遊技機設置島に関連して電飾が施されているが、遊技場内に存在する柱にまでは電飾は施されてはいなかった。
遊技場内の床面積が広い場合、遊技場内には必然的に複数本の柱が立設されている。そしてたとえば図６に示すように、柱１の下方部を挟むように、遊技機設置島２が配置されることがある。かかる場合、遊技機設置島２は、その端部の妻板３に電飾が施されたり、その上部に表示用導光板４が設けられたりして、電気的な装飾が施されるが、上方に突出する柱１には、従来、電飾は施されていなかった。
【０００４】
柱１に対し、その４面全体を電気的装飾で覆うことができれば、遊技場全体の雰囲気を盛り上げるのに寄与し、有効であると考えられる。
この発明は、このような背景のもとになされたもので、遊技場に存在する四角い柱に対して、簡易にかつ効率良く電飾を施すことのできる柱飾り用コーナーフレームを提供することを主たる目的とする。
【０００５】
また、この発明は、柱飾り用コーナーフレームを用いた柱用電飾構造を提供することを他の目的とする。
【課題を解決するための手段】
【０００６】
上記目的を達成するための請求項１記載の発明は、内フレームおよび外フレームの組合わせによって構成される柱飾り用コーナーフレームであって、前記内フレームには、９０°の角度差で設けられ、柱の角に当接される第１当接面および第２当接面を形成する当接面部材と、柱面に平行に配置する導光板の一端辺の内方を挟持するための内側挟持片と、前記第１当接面および第２当接面の交差線から両当接面の対向方向と逆方向であって、両当接面に対して対称な方向に突出し、その先端に突出方向に対して直交方向に広がる受け面を有するスペーサ部材と、が備えられ、前記外フレームには、前記スペーサ部材の受け面に外嵌され、前記内フレームと所定の空間を開けて内フレームを外側から覆う外面部材と、前記内側挟持片と協働して導光板の一端辺の外方を挟持するための外側挟持片と、が備えられ、前記内フレームおよび外フレームで形成される前記所定の空間内には、前記内側挟持片および外側挟持片によって挟持される導光板の端面に光を照射するための複数個のＬＥＤが実装された電気回路基板を保持するための保持部が設けられていることを特徴とする、柱飾り用コーナーフレームである。
【０００７】
請求項２記載の発明は、前記保持部は、前記内フレームに設けられた内ガイドレールと、前記外フレームに設けられた外ガイドレールとの対をなすガイドレールを含むことを特徴とする、請求項１記載の柱飾り用コーナーフレームである。
請求項３記載の発明は、請求項１または２記載のコーナーフレームが、装飾すべき四角柱の４つの角に取り付けられ、四角柱の４表面は、各表面に平行に配置された導光板で覆われており、各導光板の両端辺は前記コーナーフレームの内側挟持片および外側挟持片によって挟持されており、前記電気回路基板に通電がされることによって、各導光板がＬＥＤの光により照明されることを特徴とする、柱用電飾構造である。
【発明の効果】
【０００８】
請求項１または２記載の発明によれば、四角い柱の角に簡単にコーナーフレームを取り付けることができ、しかも、取り付けたコーナーフレームにより柱の表面を覆う導光板を確実に挟持することができる。よって、柱表面を覆う導光板に光を照射することによって、導光板を利用した多彩な電飾を実現することができる。
柱の角に取り付けるコーナーフレームは、内フレームと外フレームとに分かれており、外フレームの外表面を単色平面状にしたり、装飾模様を施したりすることによって、シンプルな構成にも、あるいは豪華な構成にもすることができる。また、内フレームが柱に確実に固定され、外フレームはその上を覆うので、外観的に取り付け状態がシンプルで、美観の向上した取り付け構造を実現できる。
【０００９】
しかも、取り付けられた内フレームと外フレームとは、導光板の挟持片を備えるので、導光板の取り付けが容易に行える。
請求項３記載の発明によれば、この発明に係るコーナーフレームを用いることにより、四角い柱のたとえば４面を全て導光板で覆い、柱に対して良好な電飾を施すことができる。
【発明を実施するための最良の形態】
【００１０】
以下には、図面を参照して、この発明の実施形態について具体的に説明をする。
図１は、この発明の一実施形態に係る柱用電飾構造が施された遊技場内の一例を示す斜視図である。図１において、２は遊技機設置島であり、各遊技機設置島２には多数台の遊技機５が配列されている。通常、遊技機設置島２では、横方向に配列された複数台の遊技機５が、背中合わせになるように、遊技機設置島２の一方面側および他方面側に複数台の遊技機５が配置される。図１では、柱１は、その下方部が遊技機設置島２の中に延びており、柱１の下方部は背中合わせに配置された複数台の遊技島５で挟まれている。
【００１１】
図１では、柱１に対して電飾が施されている。より具体的には、四角柱１の各角に、この発明の一実施形態に係るコーナーフレーム２０が取り付けられ、コーナーフレーム２０に挟持された導光板１０によって柱の各面が覆われ、導光板１０が光装飾を発するように構成されている。
図２は、この発明の一実施形態に係る電飾構造が設けられた柱１の横断面図である。図２において、１は柱の横断面（水平方向断面）を表わしている。柱１はたとえば断面正方形であり、４つの角１１ａ，１１ｂ，１１ｃ，１１ｄには、それぞれ、この発明の一実施形態に係るコーナーフレーム２０ａ，２０ｂ，２０ｃ，２０ｄが取り付けられている。柱１は、図２において紙面に直交方向に長手の角柱体であり、各コーナーフレーム２０ａ〜２０ｄも、紙面に直交方向に長手をしている。
【００１２】
柱１の４つの表面１２Ａ，１２Ｂ，１２Ｃ，１２Ｄには、それぞれ、一定間隔をあけて平行に導光板１０Ａ，１０Ｂ，１０Ｃ，１０Ｄが配置されている。柱の各表面１２Ａ〜１２Ｄと導光板１０Ａ〜１０Ｄとは、それぞれ、距離ｄあけられている。各導光板１０Ａ〜１０Ｄの両端辺は、それぞれコーナーフレーム２０ａ〜２０ｄによって挟持されている。各コーナーフレーム２０ａ〜２０ｄは、等しい構成であり、以下、コーナーフレーム２０と称して説明する。
【００１３】
コーナーフレーム２０内には電気回路基板２１が備えられている。電気回路基板２１は、紙面に直交方向に長手をし、その長さ方向に複数個のＬＥＤ２２が実装されている。電気回路基板２１が通電されると、複数個のＬＥＤ２２が点灯・点滅し、各導光板１０Ａ〜１０Ｄは、それぞれの両側端面５３から光の照射を受け、電飾効果を発する。
図３は、この発明の一実施形態に係るコーナーフレーム２０の断面図である。コーナーフレーム２０は、図３に示す断面形状をしており、それが紙面に直交方向に長く延びた構造をしている。
【００１４】
コーナーフレーム２０は、内フレーム２３および外フレーム２４の組み合わせによって構成されている。コーナーフレーム２０は、２点鎖線で示す仮想線Ａ−Ａに対して線対称形状をしている。
内フレーム２３には、９０°の角度差で設けられた第１当接面２５ａおよび第２当接面２５ｂが備えられている。第１当接面２５ａは、金属板２７ａの一方表面によって形成されており、第２当接面２５ｂは、金属板２７ｂの一方表面によって形成されている。金属板２７ａの反対面には別の金属板２８ａが溶着され、その一端は折り曲げられて内側挟持片３１ａとなっている。金属板２７ｂは、金属板２７ａと線Ａ−Ａに対して対称形状であり、金属板２７ｂの反対面には、別の金属板２８ｂが溶着され、その一端に内側挟持片３１ｂが形成されている。この実施形態では、金属板２７ａ，２７ｂ，２８ａ，２８ｂの各一部分が当接面部材を構成している。内側挟持片３１ａ，３１ｂは、第１当接面２５ａ，第２当接面２５ｂから一定距離ｄ離れるように形成されている。
【００１５】
金属板２７ａ，２７ｂにより、さらに、スペーサ部材３３が形成されている。スペーサ部材３３は、第１当接面２５ａおよび第２当接面２５ｂの交差線から両当接面の対向方向と逆方向に、両当接面に対して対称な方向に突出するように、金属板２７ａ，２７ｂが折り曲げられて構成されている。そして、その先端には、突出方向と直交方向に広がる受け面３５が形成されている。
【００１６】
この実施形態では、金属板２７ａ，２７ｂは、その一端側３６ａ，３６ｂが内側挟持片３１ａ，３１ｂよりも突出しており、ねじ止め部を構成している。ねじ止め部３６ａ，３６ｂには、内フレーム２３を柱の角に装着する際に、ビス３８を通す孔が形成されている。しかし、かかるねじ止め部３６ａ，３６ｂを設けない構成であってもよい。たとえば金属板２７ａ，２８ａ（または金属板２７ｂ，２８ｂ）が重ね合わされた領域にビス穴を形成し、そのビス穴を用いてビスによって内フレーム２３が柱に固定できる構成としてもよい。
【００１７】
外フレーム２４は、スペーサ部材３３の受け面３５に外嵌される取付部４０と、取付部４０から両側へ対称に延びた外面部材４１ａ，４１ｂと、外面部材４１ａ，４１ｂの端が折り曲げられて形成された外側挟持片４２ａ，４２ｂとを有している。これら取付部４０、外面部材４１ａ，４１ｂおよび外側挟持片４２ａ，４２ｂは、１枚の金属板が折り曲げられることによって一体的に構成されている。
【００１８】
取付部４０には取付部４０を内フレーム２３に固定するために、図示しないビス穴が形成されており、そのビス穴にビス４３をねじ込み、受け面３５に形成されたビス穴（図示せず）に螺合させることによって、内フレーム２３に対して外フレーム２４を固定することができる。
この実施形態では、内フレーム２３をまず柱の角にビス３８で固定する。そして柱に固定された内フレーム２３に対して外フレーム２４を取り付ける。このような取り付け順であるから、柱に対するコーナーフレーム２０の取り付けが簡単に行えるとともに、外フレーム２４には内フレーム２３に取り付けるためのビス４３が現れるだけであるから、外フレーム２４の外表面が比較的きれいであるという利点がある。
【００１９】
図４は、柱１に取り付けられた１つのコーナーフレーム２０の断面図を示す。図４は、図３と対比すると、内フレーム２３および外フレーム２４が組み合わされ、その中に電気回路基板が収容され、かつ、導光板１０が挟持された状態になっている。
図４において、内フレーム２３および外フレーム２４の間には、所定の間隔Ｗを有する空間４４ａ，４４ｂが形成されている。空間４４ａ，４４ｂの間隔Ｗは、スペーサ部材３３の突出量（長さ）によって規定される。空間４４ａ，４４ｂは、コーナーフレーム２０の中央を中心に左右対称に形成されており、その中には、それぞれ、電気回路基板２１が収納できるようになっている。具体的には、外面部材４１ａ，４１ｂの内面にガイドレール４５が設けられており、同様に、金属板２８ａ，２８ｂの外面にもガイドレール４６が設けられている。そして一対のガイドレール４５，４６によって電気回路基板２１の両辺がガイドされ、空間４４ａ，４４ｂ内に挿入されて保持されるようになっている。
【００２０】
電気回路基板２１には、複数個のＬＥＤ２２が、紙面に直交方向に一定間隔で配列されている。また、電気回路基板２１にはＬＥＤが設けられた側と反対側に、トランジスタ、コンデンサ等の必要な電気回路素子４７が実装されている。
内フレーム２３に設けられた内側挟持片３１ａ，３１ｂと外フレーム２４に設けられた外側挟持片４２ａ，４２ｂとは、互いに対向するように設けられていて、両者が協働することによって導光板１０の辺部５０を挟持している。そして挟持された導光板１０の端面５３にはＬＥＤ２２が対向する。よってＬＥＤ２２が点灯されると、その光は導光板１０に端面５３から入射する。
【００２１】
内側挟持片３１ａ，３１ｂおよび外側挟持片４２ａ，４２ｂによって挟持される導光板１０の辺部５０には、図５Ａに示すように、一定間隔をあけて半円形の切欠５１が形成されているのが好ましい。半円形の切欠５１は、挟持片（３１ａ，４２ａの組や３１ｂ，４２ｂの組）に螺合するビス５２の位置に対応させて設けられている。このようにすると、図５Ｂに示すように、内側挟持片３１ａ，３１ｂおよび外側挟持片４２ａ，４２ｂによって導光板の辺部５０を挟持した際、その挟持力を補足するために、挟持片３１ａ，４２ａや３１ｂ，４２ｂにビス５２を螺合させると、そのビス５２に対して半円形の切欠５１が干渉し、導光板１０を挟持した際、導光板１０の端面５３が挟持片３１ａ，４２ａ，３１ｂ，４２ｂ内を所定の位置以上に内方まで侵入しないようにできる。つまり、導光板１０端面５３の位置決めができる。これにより、導光板端面５３とＬＥＤ２２との位置関係を適切に保つことができる。
【００２２】
電気回路基板２１は、内フレーム２３および外フレーム２４を組み合わせた後、その一端側からガイドレール４５，４６に沿って差し込むことも可能である。なお、挟持片３１ａ，４２ａ、３１ｂ，４２ｂに螺合するビス５２は、ＬＥＤ２２から導光板端面５３に照射される光を妨げないような位置が好ましい。また、導光板端面５３に、半円形の切欠５１を設けるのではなく、導光板１０の辺部５０沿いに小孔を形成し、その小孔に挟持片の挟持力補足用のビス５２が挿入されて固定されるような構成としてもよい。
【００２３】
また、内フレーム２３および外フレーム２４に備えられた挟持片３１ａ，４２ａ、３１ｂ，４２ｂを所定の弾性力のある構成とすることによって、挟持片３１ａ，４２ａ、３１ｂ，４２ｂの有する弾性で導光板１０を挟持することができ、挟持力補足用のビス５２を省略した構成とすることも可能である。
また、上述の実施形態では、導光板１０単体をコーナーフレーム２０で挟持する旨説明したが、導光板１０は単体ではなく、その裏面に反射板などの裏面板が積層されたものや、導光板１０の裏面側に光に奥行を形成する反射用層材が積層された構成とし、それら積層体の端辺をコーナーフレーム２０で挟持する構成としてもよい。
【００２４】
この発明は、以上説明した実施形態に限定されるものではなく、請求項記載の範囲内において種々の変更が可能である。
【図面の簡単な説明】
【００２５】
【図１】この発明の一実施形態に係る柱用電飾構造が施された遊技場内の一例を示す斜視図である。
【図２】この発明の一実施形態に係る電飾構造が設けられた柱の横断面図である。
【図３】この発明の一実施形態に係るコーナーフレームの断面図である。
【図４】柱に取り付けられた１つのコーナーフレームの断面図である。
【図５】Ａは導光板の端面の構成を示す斜視図であり、Ｂは導光板の端面を挟持片に組み合わせる状態を示す正面図である。
【図６】従来の遊技場の一例を説明する斜視図である。
【符号の説明】
【００２６】
１    柱（四角柱）
１０    導光板
２０、２０ａ、２０ｂ、２０ｃ、２０ｄ    コーナーフレーム
２１    電気回路基板
２２    ＬＥＤ
２３    内フレーム
２４    外フレーム
２５ａ    第１当接面
２５ｂ    第２当接面
２７ａ、２７ｂ、２８ａ、２８ｂ    金属板（当接面部材）
３１ａ、３１ｂ    内側挟持片
３３    スペーサ部材
３４    受け面
４０    取付部
４１ａ、４１ｂ    外面部材
４２ａ、４２ｂ    外側挟持片
４４ａ、４４ｂ    空間
４５、４６    ガイドレール
【図２】
2009000232.tif 000003
【図３】
2009000232.tif 000004
【図４】
2009000232.tif 000005
【図５】
2009000232.tif 000006
【図１】
2009000232.tif 000007
【図６】
2009000232.tif 000008